(57)【要約】【課題】既存のまたはストックしている部品を有効に利用することを可能にして、組み立てまたは修復に必要な新規部品だけを取得するための情報を生成する取得部品情報生成システム及を提供する。【解決手段】取得部品情報発生部９は、既存部品情報記憶部５に記憶されている使用部品情報中の再利用可能部品の情報及び保存部品情報と新規必要部品情報記憶部７に記憶されている新規必要部品情報とを比較する比較器９１と出力部９２とを備えている。比較器９１の出力を新規の取出ヘッドの製作のため又は既存の取出ヘッドを修復するために新たに取得することが必要な部品についての取得部品情報として出力部９２から出力する。【選択図】  図１
2019123033.tif 000002
【特許請求の範囲】
【請求項１】
複数の部品が組み立てられて構成される成形品取出機の取出ヘッドを新規製作するため又は既存の取出ヘッドを修復するために新たに取得する必要がある部品を決定するための情報を取得部品情報として生成する取得部品情報生成システムであって、
過去に製作した１以上の取出ヘッドに使用されている使用中部品の情報を再利用可能部品と再利用禁止部品とに分けて使用部品情報として記憶し、且つ過去に入手して保存している保存部品の情報を保存部品情報として記憶する既存部品情報記憶部と、
ユーザが製作する新規の取出ヘッドの製作または前記既存の取出ヘッドを修復するために必要な新規必要部品の情報を新規必要部品情報として記憶する新規必要部品情報記憶部と、
前記既存部品情報記憶部に記憶されている使用部品情報中の前記再利用可能部品の情報及び前記保存部品情報と前記新規必要部品情報とを比較する比較器を備え、前記比較器の出力を前記新規の取出ヘッドの製作のため又は前記既存の取出ヘッドを修復するために新たに取得することが必要な部品についての前記取得部品情報として出力する取得部品情報発生部を具備していることを特徴とする取得部品情報生成システム。
【請求項２】
前記再利用禁止部品についての前記使用部品情報には、再利用禁止期限及び消耗期限または耐用期限が含まれており、
前記既存部品情報記憶部は、前記再利用禁止期限が満了した前記再利用禁止部品の情報を前記再利用可能部品の情報として書き換え、前記消耗期限または耐用期限が満了した前記再利用可能部品及び前記再利用禁止部品の情報を前記使用部品情報から削除し、前記保存部品が前記使用中部品になると該保存部品の保存部品情報を前記使用部品情報に書き換え、前記取得部品情報に基づいて新たな部品を取得すると該新たな部品の情報を再利用禁止部品として追加する情報書き換え部を含んでいる請求項１に記載の取得部品情報生成システム。
【請求項３】
前記取得部品情報発生部は、前記情報書き換え部が前記消耗期限または耐用期限の満了による書き換えを実行する前に前記消耗期限または前記耐用期限が満了する部品を新たに取得するための情報を前記取得部品情報として出力する請求項２に記載の取得部品情報生成システム。
【請求項４】
前記取得部品情報が出力されると、前記必要な部品の発注を実行する発注実行部を更に備えている請求項１に記載の取得部品情報生成システム。
【請求項５】
前記既存部品情報記憶部及び前記新規必要部品情報記憶部に記憶されている情報を変更するまたは前記既存部品情報記憶部及び前記新規必要部品情報記憶部にあらたな情報を入力する情報変更入力部と、
前記取得部品情報発生部が発生した前記取得部品情報に含まれる部品が、前記既存部品情報記憶部及び前記新規必要部品情報記憶部に記憶されていないことを確認する最終確認部を更に備えている請求項１乃至４のいずれか１項に記載の取得部品情報生成システム。
【請求項６】
少なくとも前記既存部品情報記憶部がクラウドサーバ中に存在する請求項１に記載の取得部品情報生成システム。
【請求項７】
前記ユーザが使用するユーザ電子計算機端末内に前記取得部品情報生成システムが構築されている請求項１に記載の取得部品情報生成システム。
【請求項８】
複数の部品が組み立てられて構成される成形品取出機の取出ヘッドを新規製作するため又は既存の取出ヘッドを修復するために新たに取得する必要がある部品を決定するための情報を取得部品情報として生成する取得部品情報生成方法であって、
過去に製作した１以上の取出ヘッドに使用されている使用中部品の情報を再利用可能部品と再利用禁止部品とに分けて使用部品情報として既存部品情報記憶部に記憶させ、
過去に入手して保存している保存部品の情報を保存部品情報として前記既存部品情報記憶部に記憶させ、
ユーザが製作する新規の取出ヘッドの製作または前記既存の取出ヘッドを修復するために必要な新規必要部品の情報を新規必要部品情報記憶部に新規必要部品情報として記憶させ、
前記既存部品情報記憶部に記憶されている使用部品情報中の前記再利用可能部品の情報及び前記保存部品情報と前記新規必要部品情報とを比較し、
比較結果を前記新規の取出ヘッドの製作のため又は前記既存の取出ヘッドを修復するために新たに取得することが必要な部品についての前記取得部品情報として出力することを特徴とする取得部品情報生成方法。
【発明の詳細な説明】
【技術分野】
【０００１】
本発明は、複数の部品が組み立てられて構成される成形品取出機の取出ヘッドを新規製作するため又は既存の取出ヘッドを修復するために新たに取得する必要がある部品を決定するための情報を取得部品情報として生成する取得部品情報生成システム及び取得部品情報生成方法に関するものである。
【背景技術】
【０００２】
特許第４４９５９９７号公報には、所望の構造を組み立てるために必要な部品について、提供された各部品の配置を効率的に特定するための組立部品発注システム及び方法が開示されている。この従来技術では、利用者は、利用者端末を用いて、装置の設計を容易に行うことができるとともに、その装置を組み立てるために必要な部品をカタログ情報により容易に特定して、利用者端末により生成された発注情報により、特定された部品を発注することができる。
【先行技術文献】
【特許文献】
【０００３】
【特許文献１】特許第４４９５９９７号公報
【発明の概要】
【発明が解決しようとする課題】
【０００４】
従来の技術では、カタログデータに含まれている新規部品を発注して所望の構造を組み立てることになる。樹脂成形品等の成形品を製造する場合には、成形品ごとに成形品取出機で使用する取出ヘッドとして、成形品の形状及び寸法に合った専用の取出ヘッドを準備する必要がある。そして成形品製造工場には、既存の取出ヘッドで再利用の予定がないものや、再利用までに長期の待機期間があるものや、交換の必要性からストックしている未使用の部品が存在している。これらの未使用部品を利用して新たな取出ヘッドを組み立てれば、既存部品の有効利用を図ることができる利点がある。しかしながら従来の技術を用いて取出ヘッドの組み立てに必要な部品を発注すると、新規部品により取出ヘッドを組み立てることになるため、既存の部品を有効に利用できない。
【０００５】
本発明の目的は、既存のまたはストックしている部品を有効に利用することを可能にして、組み立てまたは修復に必要な新規部品だけを取得するための情報を生成する取得部品情報生成システム及び取得部品情報生成方法を提供することにある。
【課題を解決するための手段】
【０００６】
本発明は、複数の部品が組み立てられて構成される成形品取出機の取出ヘッドを新規製作するため又は既存の取出ヘッドを修復するために新たに取得する必要がある部品を決定するための情報を取得部品情報として生成する取得部品情報生成システムを対象とする。本発明の取得部品情報生成システムでは、既存部品情報記憶部と、新規必要部品情報記憶部と、取得部品情報発生部とを具備する。既存部品情報記憶部は、過去に製作した１以上の取出ヘッドに使用されている使用中部品の情報を再利用可能部品と再利用禁止部品とに分けて使用部品情報として記憶し、且つ過去に入手して保存している保存部品の情報を保存部品情報として記憶する。新規必要部品情報記憶部は、ユーザが製作する新規の取出ヘッドの製作または既存の取出ヘッドを修復するために必要な新規必要部品の情報を新規必要部品情報として記憶する。取得部品情報発生部は、既存部品情報記憶部に記憶されている使用部品情報中の再利用可能部品の情報及び保存部品情報と新規必要部品情報とを比較する比較器を備え、比較器の出力を新規の取出ヘッドの製作のため又は既存の取出ヘッドを修復するために新たに取得することが必要な部品についての取得部品情報として出力する。
【０００７】
本発明においては、使用部品情報中の再利用可能部品の情報及び保存部品情報と新規必要部品情報とを比較器で比較して、新規の取出ヘッドの製作のため又は既存の取出ヘッドを修復するために新たに取得する部品についての取得部品情報を得るため、既存部品を有効に利用して、新たに取得が必要な部品だけを発注することが可能になる。
【０００８】
再利用禁止部品についての使用部品情報には、再利用禁止期限及び消耗期限または耐用期限が含まれているのが好ましい。この場合、既存部品情報記憶部は、再利用禁止期限が満了した再利用禁止部品の情報を再利用可能部品の情報として書き換え、消耗期限または耐用期限が満了した再利用可能部品及び再利用禁止部品の情報を使用部品情報から削除し、保存部品が使用中部品になると該保存部品の保存部品情報を使用部品情報に書き換え、取得部品情報に基づいて新たな部品を取得すると該新たな部品の情報を再利用禁止部品として追加する情報書き換え部を含んでいるのが好ましい。このような情報書き換え部を設けると、時間の経過とともに再利用禁止部品になる部品または再利用可能部品となる部品の情報を適確に更新して、部品の再利用の可能性を高め、且つ新規取得部品の正確な情報を得ることができる。
【０００９】
取得部品情報発生部は、情報書き換え部が消耗期限または耐用期限の満了による書き換えを実行する前に消耗期限または耐用期限が満了する部品を新たに取得するための情報を取得部品情報として出力するように構成するのが好ましい。このようにすると消耗部品または耐用期限が過ぎたストック部品の補充をするための情報が出力されるため部品の保存管理が容易になる。
【００１０】
取得部品情報が出力されると、必要な部品の発注を実行する発注実行部を更に備えているのが好ましい。発注実行部があれば、自動で発注をすることができる。
【００１１】
既存部品情報記憶部及び新規必要部品情報記憶部に記憶されている情報を変更するまたは既存部品情報記憶部及び新規必要部品情報記憶部にあらたな情報を入力する情報変更入力部と、取得部品情報発生部が発生した取得部品情報に含まれる部品が、既存部品情報記憶部及び新規必要部品情報記憶部に記憶されていないことを確認する最終確認部を更に備えているのが好ましい。情報変更入力部があれば、現在使用中の取出ヘッド中の部品で交換の必要性が出てきた場合に、再利用可能部品または保存部品を使用したことを記録することができる。またこのようなことが取得部品情報を生成した後に実施された場合には、再利用可能部品または保存部品が存在しなくなっていることもあるため、最終確認部を設けることにより、取得部品情報の最終チェックが可能なる。
【００１２】
少なくとも既存部品情報記憶部がクラウドサーバ中に存在していると、既存情報の利用の更新及び利用が便利になる。
【００１３】
ユーザが使用するユーザ電子計算機端末内に取得部品情報生成システムが構築されていてもよい。
【００１４】
本発明は、複数の部品が組み立てられて構成される成形品取出機の取出ヘッドを新規製作するため又は既存の取出ヘッドを修復するために新たに取得する必要がある部品を決定するための情報を取得部品情報として生成する取得部品情報生成方法としても特定することたできる。本発明の方法では、まず過去に製作した１以上の取出ヘッドに使用されている使用中部品の情報を再利用可能部品と再利用禁止部品とに分けて使用部品情報として既存部品情報記憶部に記憶させる。また過去に入手して保存している保存部品の情報を保存部品情報として既存部品情報記憶部に記憶させる。そしてユーザが製作する新規の取出ヘッドの製作または既存の取出ヘッドを修復するために必要な新規必要部品の情報を新規必要部品情報記憶部に新規必要部品情報として記憶させる。次に既存部品情報記憶部に記憶されている使用部品情報中の再利用可能部品の情報及び前記保存部品情報と新規必要部品情報とを比較し、比較結果を新規の取出ヘッドの製作のため又は既存の取出ヘッドを修復するために新たに取得することが必要な部品についての取得部品情報として出力する。
【図面の簡単な説明】
【００１５】
【図１】本発明の取得部品情報生成システムの実施の形態の一例の構成を示すブロック図である。
【図２】（Ａ）は過去に製作した取出ヘッドＩの構成図であり、（Ｂ）は取出ヘッドＩに使用されている部品に付した部品番号を示す図である。
【図３】使用部品情報記憶部に記憶されている取出ヘッドＩの部品情報を示す表である。
【図４】（Ａ）は使用部品情報記憶部に記憶されている取出ヘッドIIの構成図である。
【図５】図４の取出ヘッドIIの部品情報を示す表である。
【図６】（Ａ）は使用部品情報記憶部に記憶されている取出ヘッドIIIの構成図である。
【図７】図６の取出ヘッドIIIの部品情報を示す表である。
【図８】保存部品情報記憶部に記録されている、過去に入手して保存している保存部品の情報を示す表である。
【図９】（Ａ）は新たに組み立てる取出ヘッドＩ´の構成図であり、（Ｂ）は取出ヘッドＩ´に新たな追加される部品に部品番号を付した図である。
【図１０】取出ヘッドＩ´を組み立てるのに利用可能な取出ヘッドＩ中の使用部品及び保存部品を比較器で探した結果を示す表である。
【図１１】取出ヘッドＩ´を組み立てるのに利用可能な取出ヘッドＩ中の使用部品以外の部品を示す表である。
【図１２】情報書き換え部が書き換えを実行したあとの状態を示す表である。
【図１３】本実施の形態を、コンピュータを用いて実現する場合に用いるソフトウエアのアルゴリズムの一例を示すフローチャートである。
【発明を実施するための形態】
【００１６】
以下図面を参照して本発明の取得部品情報生成システム及び方法の実施の形態を詳細に説明する。図１は、複数の部品が組み立てられて構成される成形品取出機の取出ヘッドを新規製作するため又は既存の取出ヘッドを修復するために新たに取得する必要がある部品を決定するための情報を取得部品情報として生成する本発明の取得部品情報生成システムの実施の形態の一例の構成を示すブロック図である。本実施の形態の取得部品情報生成システムの主要部は、コンピュータにソフトウエアをインストールして実現されたものであり、入力部１及び情報変更入力部３は、共に、キーボード、画面入力装置、光学式読み取り装置等の公知の入力装置により構成される。
【００１７】
本取得部品情報生成システムでは、既存部品情報記憶部５と、新規必要部品情報記憶部７と、取得部品情報発生部９とを具備する。既存部品情報記憶部５は、過去に製作した１以上の取出ヘッドに使用されている使用中部品の情報を再利用可能部品と再利用禁止部品とに分けて使用部品情報として記憶する使用部品情報記憶部５１と、過去に入手して保存している保存部品の情報を保存部品情報として記憶する保存部品情報記憶部５２と、情報書き換え部５３とを備えている。新規必要部品情報記憶部７は、ユーザが製作する新規の取出ヘッドの製作または既存の取出ヘッドを修復するために必要な新規必要部品の情報を新規必要部品情報として記憶する。取得部品情報発生部９は、既存部品情報記憶部５に記憶されている使用部品情報中の再利用可能部品の情報及び保存部品情報と新規必要部品情報記憶部７に記憶されている新規必要部品情報とを比較する比較器９１と出力部９２とを備えている。取得部品情報発生部９は、比較器９１の出力を新規の取出ヘッドの製作のため又は既存の取出ヘッドを修復するために新たに取得することが必要な部品についての取得部品情報として出力部９２から出力する。また本実施の形態では、後に詳しく説明する最終確認部１１と発注実行部１３を備えている。
【００１８】
例えば図２（Ａ）に示す取出ヘッドが過去に製作した取出ヘッドＩの構成図であり、今後使用予定がない再利用可能な取出ヘッドの一例である。この取出ヘッドＩに使用されている部品に付した部品番号は、図２（Ｂ）に示す通りである。図３は使用部品情報記憶部５１に記憶されている取出ヘッドＩの部品情報を表として示したものである。部品情報としては、「部品番号」、「部品名称」、「登録番号」、「部品寸法」、「購入日時」、「再利用日時」、「部品寿命」及び「再利用判断」が含まれている。なお説明の都合上、図３の表は２０１２年８月３１日時点の表とする。部品番号は、図２（Ｂ）の部品番号と一致しており、「再利用日時」は購入して一度組み立てられた後再度利用開始された日時である。この例では、取出ヘッドＩが再利用されていない状態にあるため、「再利用日時」には記載がない。「部品寿命」は、部品メーカが推奨する寿命であり、起算日は購入日時または製造日時である。「再利用判断」の欄の「○」表示はこの部品が再利用可能な部品であることを示している。「再利用判断」の欄に「×」表示（図５、図７参照）がある部品は再利用禁止部品であることを示している。なお図３は、一例であって、目的に応じてその他の部品情報が使用部品情報記憶部５１に記憶されていてもよく、また目的に応じて不要な部品情報が記憶されてなくてもよいのは勿論である。
【００１９】
図４は及び図５は、使用部品情報記憶部５１に記憶されている取出ヘッドIIの構成図及び部品情報を表として示したものである。図５の部品情報の欄は、図３の部品情報の欄と同じであるが、取出ヘッドIIは使用中であるため、「再利用判断」の欄には再利用禁止部品であることを示す「×」表示が示されている。なお図５の表の欄外に記載されている「利用期限」は、取出ヘッドIIを利用する期限を意味しており、この期限が到来すると「再利用判断」の欄の表は「○」になる。
【００２０】
図６は及び図７は、使用部品情報記憶部５１に記憶されている取出ヘッドIIIの構成図及び部品情報を表として示したものである。図７の部品情報の欄は、図３の部品情報の欄と同じであるが、取出ヘッドIIIは取出ヘッドIIと同様に使用中であるため、「再利用判断」の欄には再利用禁止部品であることを示す「×」表示が示されている。なお図５の表の欄外に記載されている「利用期限」は、取出ヘッドIIIを利用する期限を意味しており、この期限が到来すると「再利用判断」の欄の表は「○」になる。
【００２１】
図８は、図１に示した保存部品情報記憶部５２に記録されている、過去に入手して保存している保存部品の情報を示す表である。なおこの表は、説明の便宜上２０１２年８月３１日時点の表である。保存部品情報記憶部５２に記録されている部品情報としては、「部品番号」、「部品名称」、「登録番号」、「部品寸法」、「購入日時」、「再利用日時」、「部品寿命」及び「再利用判断」が含まれている。ここで「再利用判断」の欄に「○」が示されている部品は、再利用が可能な部品であり、その他の部品は保守部品として保存しておく必要性から無印となっている。なお無印の保存部品を使用した場合には、情報変更入力部３の操作により表から削除される。
【００２２】
新規必要部品情報記憶部７に入力部１からユーザが製作する新規の取出ヘッドの製作または既存の取出ヘッドを修復するために必要な新規必要部品の情報を新規必要部品情報として記憶すると、取得部品情報発生部９は、既存部品情報記憶部５に記憶されている使用部品情報中の再利用可能部品の情報及び保存部品情報と新規必要部品情報とを比較器９１で比較して、比較器９１の比較結果を新規の取出ヘッドの製作のため又は既存の取出ヘッドを修復するために新たに取得することが必要な部品についての取得部品情報として出力する。図９（Ａ）は新たに組み立てる取出ヘッドＩ´の構成図である。この新たな取出ヘッドＩ´は、前述の取出ヘッドＩの改造例または変形例であり、図９（Ｂ）に示す部品番号１１４〜１１７を付した部品が取出ヘッドＩと異なる部品である。
【００２３】
そこで比較器９１は、新たな取出ヘッドＩ´に必要な新規必要部品情報を既存部品情報記憶部５に記憶されている使用部品情報と保存部品情報と比較して、新規に発注しなければならない部品を決定して出力部９２から出力する。図１０は、取出ヘッドＩ´を組み立てるのに利用可能な取出ヘッドＩ中の使用部品を比較器９１で探した結果を示している。図１０において、「再利用判断」の欄に「○」印が付された部品が、取出ヘッドＩに使用されている部品で、取出ヘッドＩ´を組み立てるのに使用可能な部品を示している。また図１０において、「再利用判断」の欄に「●」印が付された部品が、取出ヘッドＩに使用されている部品で、図８に示した保存部品の中で再利用可能な部品と判断されていた部品（文品番号１１４，１１５）である。図１０において、比較器９１による比較の結果、不足している異が判明した部品が「注」の欄に「新規購入」と記載された部品番号１１６及び１１７の吸着パッドである。取得部品情報発生部９の出力部９２は、図１０の表において「新規購入」と記載された部品番号１１６及び１１７の吸着パッドを取得部品として出力する。
【００２４】
上記の出力が出された結果、取出ヘッドＩの部品表は、図１１に示すようになり、再利用可能な部品が大幅に減ったので、本実施の形態では、この時点で取出ヘッドＩの情報を使用部品情報記憶部５１から削除して、取出ヘッドＩの残った部品（部品番号２１〜２４）を図１２に示すように、保存部品情報記憶部５２に記憶した保存部品として記録する書き換えを情報書き換え部５３によって自動的に実行している。本実施の形態では、再利用禁止部品についての使用部品情報には、再利用禁止期限（図５及び図７の利用期限に相当）及び消耗期限または耐用期限（部品寿命から決定される期限）が含まれている。この場合、既存部品情報記憶部５の情報書き換え部５３は、再利用禁止期限が満了した再利用禁止部品の情報を再利用可能部品の情報として書き換え、消耗期限または耐用期限が満了した再利用可能部品及び再利用禁止部品の情報を使用部品情報から削除し、保存部品が使用中部品になると該保存部品の保存部品情報を使用部品情報に書き換え、取得部品情報に基づいて新たな部品を取得すると該新たな部品の情報を再利用禁止部品として追加する。このような情報書き換え部５３を設けると、時間の経過とともに再利用禁止部品になる部品または再利用可能部品となる部品の情報を適確に更新して、部品の再利用の可能性を高め、且つ新規取得部品の正確な情報を得ることができる。
【００２５】
本実施の形態においては、取得部品情報発生部９は、情報書き換え部５３が消耗期限または耐用期限の満了による書き換えを実行する前に消耗期限または耐用期限が満了する部品を新たに取得するための情報を取得部品情報として出力する。このようにすると消耗部品または耐用期限が過ぎたストック部品の補充をするための情報が出力されるため部品の保存管理が容易になる。なお情報書き換え部５３で予定している書き換え以外で、情報の書き換え・変更が必要な場合には、情報変更入力部３によってマニュアルで情報が変更可能である。
【００２６】
本実施の形態では、情報変更入力部３に加えて、取得部品情報発生部９が発生した取得部品情報に含まれる部品が、既存部品情報記憶部５及び新規必要部品情報記憶部７に記憶されていないことを確認する最終確認部１１を更に備えている。情報変更入力部３があれば、現在使用中の取出ヘッド中の部品で交換の必要性が出てきた場合に、再利用可能部品または保存部品を使用したことを記録することができる。このようなことが取得部品情報を生成した後に実施された場合には、再利用可能部品または保存部品が存在しなくなっていることもあるため、最終確認部１１を設けることにより、取得部品情報の最終チェックが可能なる。
【００２７】
また本実施の形態では、出力部９２から取得部品情報が出力されると、必要な部品の発注を実行する発注実行部１３を備えている。発注実行部１３があれば、自動で発注をすることができる。
【００２８】
本実施の形態では、ユーザが使用するユーザ電子計算機端末内に取得部品情報生成システムが構築されている。しかしながら少なくとも既存部品情報記憶部５がクラウドサーバ中に存在していてもよく、この場合にはユーザ電子計算機端末内に新規必要部品情報記憶部７と取得部品情報発生部９を構築すればよい。なお本実施の形態をどのように構築するか任意である。本実施の形態を、コンピュータを用いて実現する場合に用いるソフトウエアのアルゴリズムの一例は図１３に示す通りである。まず過去に製作した１以上の取出ヘッドに使用されている使用中部品の情報を再利用可能部品と再利用禁止部品とに分けて使用部品情報として既存部品情報記憶部に記憶させる（ステップＳ１）。また過去に入手して保存している保存部品の情報を保存部品情報として既存部品情報記憶部に記憶させる（ステップＳ２）。そしてユーザが製作する新規の取出ヘッドの製作または既存の取出ヘッドを修復するために必要な新規必要部品の情報を新規必要部品情報記憶部に新規必要部品情報として記憶させる（ステップＳ３）。次に既存部品情報記憶部に記憶されている使用部品情報中の再利用可能部品の情報及び前記保存部品情報と新規必要部品情報とを比較する（ステップＳ４）。そして、比較結果を新規の取出ヘッドの製作のため又は既存の取出ヘッドを修復するために新たに取得することが必要な部品についての取得部品情報として出力する（ステップＳ５）。
【００２９】
なお図３、図５，図７，図８、図１０，図１１及び図１２は、記憶部品情報記憶部５内の記憶内容の理解を容易にするために表形式で示したものであり、記憶部品情報記憶部５内の記憶されているデータをそのまま示すものではないのは勿論である。
【産業上の利用可能性】
【００３０】
本発明によれば、使用部品情報中の再利用可能部品の情報及び保存部品情報と新規必要部品情報とを比較器で比較して、新規の取出ヘッドの製作のため又は既存の取出ヘッドを修復するために新たに取得する部品についての取得部品情報を得るため、既存部品を有効に利用して、新たに取得が必要な部品だけを発注することが可能になる。
【符号の説明】
【００３１】
１  入力部
３  情報変更入力部
５  既存部品情報記憶部
５１  使用部品情報記憶部
５２  保存部品情報記憶部
５３  情報書き換え部
７  新規必要部品情報記憶部
９  取得部品情報発生部
９１  比較器
９２  出力部
１１  最終確認部
１３  発注実行部
【図１】
2019123033.tif 000003
【図２】
2019123033.tif 000004
【図３】
2019123033.tif 000005
【図４】
2019123033.tif 000006
【図５】
2019123033.tif 000007
【図６】
2019123033.tif 000008
【図７】
2019123033.tif 000009
【図８】
2019123033.tif 000010
【図９】
2019123033.tif 000011
【図１０】
2019123033.tif 000012
【図１１】
2019123033.tif 000013
【図１２】
2019123033.tif 000014
【図１３】
2019123033.tif 000015